(57)【要約】【課題】  良好な操作感触が得られる防水機器の押しボタン構造を提供する。【解決手段】  スイッチ１３が実装された回路基板２４が収納されて、このスイッチ１３が対する面１２ａを有するケース本体（アッパーケース）１２が設けられ、このケース本体（アッパーケース）１２に防水シート材２１を介してカバー体２２が取付けられ、このカバー体２２のボタン用開口２２ａに臨む押しボタン１４が上記防水シート材２１に固定されている防水機器の押しボタン構造において、上記ケース本体１２における上記スイッチ１４が対する面１２ａには、この面１２ａの三方を切り欠くとともに一方をヒンジ部１２ｃとして上下揺動可能なヒンジ片部１２ｄが形成されて、このヒンジ片部１２ｄと上記押しボタン１４との間に硬質の押圧部１２ｉが設けられている。【選択図】  図１
2005183260.tif 000002
【特許請求の範囲】
【請求項１】
スイッチが実装された回路基板が収納されて、このスイッチが対する面を有するケース本体が設けられ、このケース本体に防水シート材を介してカバー体が取付けられ、このカバー体のボタン用開口に臨む押しボタンが上記防水シート材に固定されている防水機器の押しボタン構造において、
上記ケース本体における上記スイッチが対する面には、この面の三方を切り欠くとともに一方をヒンジ部として上下揺動可能なヒンジ片部が形成されて、このヒンジ片部と上記押しボタンとの間に硬質の押圧部が設けられていることを特徴とする防水機器の押しボタン構造。
【請求項２】
上記押圧部の厚みは、押しボタンの設置高さに対応する高さに設定されている請求項１記載の防水機器の押しボタン構造。
【請求項３】
上記押圧部は、上記ヒンジ片部に一体形成されている請求項１または２記載の防水機器の押しボタン構造。
【発明の詳細な説明】
【技術分野】
【０００１】
本発明は、操作感触が向上する防水機器の押しボタン構造に関する。
【背景技術】
【０００２】
従来、防水機器の押しボタン構造としては、スイッチが実装された回路基板が収納されて、このスイッチが臨む面にスイッチ用開口が形成されたケース本体が設けられ、このケスイッチの上部に柔軟な防水シート材が介装されて、この防止シート材のボタン部が上記スイッチ用開口から突出されたものがある（例えば、特許文献１参照）。
【０００３】
また、図５に示すように、スイッチ１が実装された回路基板２が収納されて、このスイッチ１が臨む面３ａにスイッチ用開口３ｂが形成されたケース本体３が設けられ、このケース本体３に柔軟な防水シート材４を介してカバー体５が取付けられ、このカバー体５のボタン用開口５ａに臨む押しボタン６が上記防水シート材４に固定されたものもある。
【０００４】
上記特許文献１は、防止シート材に一体形成された厚みの有るボタン部を押してスイッチをオンさせるものであり、図５の従来技術は、押しボタン６を押すと（矢印ａ参照）、防止シート材４に一体形成された厚みｔの有る突出部４ａを介してスイッチ１をオンさせるものである。
【特許文献１】特開平６−５４３８１号公報
【発明の開示】
【発明が解決しようとする課題】
【０００５】
しかしながら、特許文献１の防水シート材のボタン部や図５の防水シート材４の突出部４ａは、スイッチ１に届かせるための厚みｔを必要とすることから、押しボタン６等を押した時に撓んで、その撓みによって操作者は「グニュ」という感触しか得られないので、スイッチ１が確実に押されているかわかりにくく、操作感触が悪いという問題があった。
【０００６】
本発明は、上記問題を解消するためになされたもので、良好な操作感触が得られる防水機器の押しボタン構造を提供することを課題とするものである。
【課題を解決するための手段】
【０００７】
上記課題を解決するために、本発明は、スイッチが実装された回路基板が収納されて、このスイッチが対する面を有するケース本体が設けられ、このケース本体に防水シート材を介してカバー体が取付けられ、このカバー体のボタン用開口に臨む押しボタンが上記防水シート材に固定されている防水機器の押しボタン構造において、
上記ケース本体における上記スイッチが対する面には、この面の三方を切り欠くとともに一方をヒンジ部として上下揺動可能なヒンジ片部が形成されて、このヒンジ片部と上記押しボタンとの間に硬質の押圧部が設けられていることを特徴とする防水機器の押しボタン構造を提供するものである。
【０００８】
請求項２のように、上記押圧部の厚みは、押しボタンの設置高さに対応する高さに設定されている構成としても良い。
【０００９】
請求項３のように、上記押圧部は、上記ヒンジ片部に一体形成されている構成としても良い。
【発明の効果】
【００１０】
本発明によれば、ケース本体おけるスイッチが対する面にヒンジ片部を形成して、このヒンジ片部と押しボタンとの間に硬質の押圧部を設けたから、防水シート材に撓みやすいボタン部や突出部を設ける必要がなくなり、押圧部は押しボタンを押した時に撓まないので、操作者はスイッチが確実に押されていることがわかりやすく、良好な操作感触が得られるようになる。
【００１１】
請求項２によれば、押圧部の厚みを押しボタンの設置高さに対応する高さに設定したから、押しボタンの設置高さが異なる場合でも良好な感触が得られるようになる。
【００１２】
請求項３によれば、押圧部をヒンジ片部に一体形成したから、ケース本体の成形時にヒンジ片部と押圧部とを同時成形できるので、製造コストが安価になる。
【発明を実施するための最良の形態】
【００１３】
以下、本発明を実施するための最良の形態について、図面を参照しながら詳細に説明する。
【００１４】
図１は防水機器である浴室用のインターホン（副親機）の分解斜視図、図２はケース本体１０の平面図、図３（ａ）は図１のＡ−Ａ線に相当する組立て断面図である。
【００１５】
合成樹脂製のケース本体１０は、ロアケース１１とアッパーケース１２とで構成されて、これらのケース１１，１２内には、計６個のスイッチ１３が実装された回路基板２４が収納されている。
【００１６】
上記アッパーケース１２の上面１２ａには、上記各スイッチ１３が臨むスイッチ用開口１２ｂがそれぞれ形成されている。
【００１７】
このスイッチ用開口１２ｂは、図２に詳細に示すように、上面１２ａの三方を略Ω状に切り欠くとともに一方をヒンジ部１２ｃとして残すことにより、切り込みの内側に、合成樹脂の弾力で上下揺動可能なヒンジ片部１２ｄを一体形成している。
【００１８】
このヒンジ片部１２ｄと同じ形状のヒンジ片部１２ｄは、後述する楕円状の押しボタン１４〜１７の位置に対応させて、上面１２ａの計４箇所に形成されている。
【００１９】
また、スイッチ用開口１２ｂとして、後述する小円状の押しボタン１８の位置に対応させて、上面１２ａの三方を略Ｕ状に切り欠くとともに一方をヒンジ部１２ｃとして残すことにより、切り込みの内側に、合成樹脂の弾力で上下揺動可能なヒンジ片部１２ｅを一体形成している。
【００２０】
さらに、スイッチ用開口１２ｂとして、後述する大型の円状の押しボタン１９の位置に対応させて、上面１２ａの三方を略半円状に切り欠くとともに一方を第１ヒンジ部１２ｃとして残すことにより、切り込みの内側に、合成樹脂の弾力で上下揺動可能な第１ヒンジ片部１２ｆを一体形成している。
【００２１】
この第１ヒンジ片部１２ｆには、さらに第１ヒンジ片部１２ｆの三方を略半円状に切り欠くとともに、上記第１ヒンジ部１２ｃと反対側に位置する一方を第２ヒンジ部１２ｃ´として残すことにより、切り込みの内側に、合成樹脂の弾力で上下揺動可能な第２ヒンジ片部１２ｆ´を一体形成している。
【００２２】
この第２ヒンジ片部１２ｆ´には、上記回路基板２４のＬＥＤ発光部２０に臨んで、ＬＥＤ発光部２０の光を透光させる円形の透光穴部１２ｇを形成している。
【００２３】
上記アッパーケース１２の上面１２ａには、スピーカー用開口１２ｈを形成している。
【００２４】
上記アッパーケース１２の上面１２ａには、防水シート材２１を介してカバー体２２が取付けられ、このカバー体２２のボタン用開口２２ａ〜２２ｆに臨む押しボタン１４〜１９が防水シート材２１の上面に貼付け固定されている。なお、２２ｇはスピーカー用開口である。
【００２５】
図３（ａ）に詳細に示すように、上記アッパーケース１２の上面１２ａと押しボタン（その他の押しボタン１５〜１８も同様。）１４を貼り付けた防水シート材２１との間には、隙間ｈ１が有り、この上面１２ａとスイッチ１３との間には、隙間ｈ２が有るので、このままでは、押しボタン１４を押してもスイッチ１３をオンさせることが困難である。
【００２６】
そこで、ヒンジ片部１２の上面には、上記隙間ｈ１を補填する円状の上押圧部１２ｉを一体形成するとともに、下面には、上記隙間ｈ２を補填する円状の下押圧部１２ｊを一体形成している。上記各押圧部１２ｉ，１２ｊは、アッパーケース１２と同素材の硬質合成樹脂である。
【００２７】
上記のような浴室用のインターホン（副親機）の押しボタン構造であれば、アッパーケース１２の上面１２ａのスイッチ用開口１２ｂにヒンジ片部１２ｄを一体形成して、このヒンジ片部１２ｄに、押しボタン１４の防水シート材２１との間の隙間ｈ１を補填する上押圧部１２ｉを一体形成するとともに、スイッチ１３との間の隙間ｈ２を補填する下押圧部１２ｊを一体形成することにより、押しボタン１４を押した時に（矢印ａ参照）、各押圧部１２ｉ，１２ｊは撓まないので、押し操作が安定し、操作者は「カチ」という良好な感触が得られ、スイッチ１３が確実に押されていることが分かりやすくなる。
【００２８】
また、上記各押圧部１２ｉ，１２ｊは、ヒンジ片部１２ｄに一体形成しているから、アッパーケース１２の成形時にヒンジ片部１２ｄと各押圧部１２ｉ，１２ｊとを同時成形できるので、製造コストが安価になる。
【００２９】
上記実施形態では、ヒンジ片部１２ｄに下押圧部１２ｊを一体形成したが、スイッチ１３の高さが高いときは、上記隙間ｈ２を補填する必要がないので、下押圧部１２ｊを省略することが可能である。
【００３０】
上記実施形態では、各押しボタン１４〜１８を同じ設置高さに設定したが、図３（ｂ）に示すように、例えば押しボタン１４をカバー体２２から上方（前方）に突出させた突出部２２ｈに設置させているような場合には、上面１２ａと押しボタン１４との間の隙間ｈ３はｈ１よりも広がるので（ｈ１＜ｈ３）、上押圧部１２ｉの高さを押しボタン１４の設置高さに対応する高さ（隙間ｈ３）に設定すれば良い。このように、押しボタン１４の設置高さが異なる場合でも良好な感触が得られるようになる。
【００３１】
上記実施形態では、上押圧部１２ｉをヒンジ片部１２ｄに一体形成したが、図４（ａ）に示すように、上押圧部１２ｉに代えて、押しボタン１４の裏面に、防水シート材２１を貫通する上押圧部１４ａを一体形成することができる。
【００３２】
また、図４（ｂ）に示すように、上押圧部１２ｉに代えて、別体の上押圧部２３を設けて、この上押圧部２３を押しボタン１４の防水シート材２１の裏面若しくはヒンジ片部１２ｄの上面に接着固定することもできる。
【００３３】
上記実施形態では、各ヒンジ片部１２ｄ〜１２ｆをアッパーケース１２の上面１２ａに一体形成したが、別体のヒンジ片部１２ｄ〜１２ｆを上面１２ａのスイッチ用開口１２ｂに溶着等で固定することも可能である。
【図面の簡単な説明】
【００３４】
【図１】浴室用のインターホン（副親機）の分解斜視図である。
【図２】ケース本体の平面図である。
【図３】（ａ）は図１のＡ−Ａ線に相当する組立て断面図、（ｂ）は（ａ）の変形例の断面図である。
【図４】（ａ）（ｂ）は、それぞれ図３（ａ）の変形例の断面図である。
【図５】従来のスイッチ構造の図１のＡ−Ａ線に相当する組立て断面図である。
【符号の説明】
【００３５】
１０    ケース本体
１２    アッパーケース
１２ａ  上面
１２ｂ  スイッチ用開口
１２ｃ  ヒンジ部
１２ｄ  ヒンジ片部
１２ｉ  上押圧部
１２ｊ  下押圧部
１３    スイッチ
１４    押しボタン
１４ａ  上押圧部
２１    防水シート材
２２    カバー体
２２ａ  ボタン用開口
２３    上押圧部
２４    回路基板
ｈ１，ｈ２  隙間（高さ）
【図１】
2005183260.tif 000003
【図２】
2005183260.tif 000004
【図３】
2005183260.tif 000005
【図４】
2005183260.tif 000006
【図５】
2005183260.tif 000007